(57)【要約】  【課題】  下段の足場板上から上段の足場板周囲に安全に手摺を設置、或いは取り外しが可能な上、上段の足場を増設した後でも下段の足場の手摺だけを脱着することのできるＨ型建枠の枠組足場用手摺を提供する。  【解決手段】  手摺１は、水平材２と、この水平材２の両端部付近にそれぞれ回動自在に軸支した一対の斜材３とから成る。前記水平材２の両端には、Ｈ型建枠Ｂの脚柱Ｄ上端部に嵌着する連結ジョイントＦに対し上方から挿入可能なように略リング形状の取付片４を取着すると共に、この取付片４は連結ジョイントＦに対し側方からも着脱可能なように開閉自在としている。また、斜材３の遊端部にはピン孔８を穿設し、対向側の脚柱Ｄ側面の筋交いピンＩに挿入して固定できるようにする。【選択図】  図１
2006348625.tif 000002
【特許請求の範囲】
【請求項１】
Ｈ型建枠を上方向並びに水平方向に所望数配置して組み上げる枠組足場において隣接するＨ型建枠の脚柱間に掛け渡す手摺であって、水平材と、該水平材の両端部付近にそれぞれ回動自在に軸支した一対の斜材とから成り、前記水平材の両端部にはＨ型建枠の脚柱上端部に嵌着した連結ジョイントに対し上方から挿入可能なように略リング形状の取付片を取着すると共に、該取付片は前記連結ジョイントに対し側方からも着脱可能なように開閉自在とする一方、前記斜材の遊端部には対向側の脚柱側面に突設した筋交いピンに挿入するピン孔を穿設したことを特徴とするＨ型建枠の枠組足場用手摺。
【発明の詳細な説明】
【技術分野】
【０００１】
本発明は、土木、建築などの工事現場において、建築物の外壁などに沿って設置する枠組足場に取り付けられる枠組足場用手摺に関し、特にＨ型建枠から成る枠組足場に取り付けられるＨ型建枠の枠組足場用手摺に関する。
【背景技術】
【０００２】
従来より枠組足場用の建枠としては鳥居形状をした建枠がよく知られているが、最近では脚柱の中央部付近を横架材で接合して略Ｈ形状としたＨ型建枠も多く採用されており、このＨ型建枠を用いて枠組足場を組み上げる時には、隣接する各建枠の中央高さ位置にある横架材同士に足場板を掛け渡すと共に、この足場板を境として上下位置に筋交いをそれぞれ取り付ける構成としている。したがって、枠組足場の組み上げ、或いは解体の途中であっても、枠組足場の最上階部分の足場板周囲には必ずＨ型建枠の脚柱上部が突出しているため、別途手摺柱などを設置せずとも前記脚柱へ筋交いや手摺材などを取り付ければ迅速かつ容易に手摺を設置することができ、危険を伴う枠組足場の最上階部分での作業の安全性を早期に確保することができる。
【０００３】
ところが、Ｈ型建枠を採用して上記のように枠組足場の最上階部分に手摺を設置、或いは取り外すとしても、これらの作業は周囲に手摺のない状態で行われるため、結局その間は作業者に危険な作業を強いることになり、作業安全上問題がないとは言えないものであった。
【０００４】
そこで、本出願人らは以前、こうした問題を解消するために、水平材と、該水平材の両端部付近にそれぞれ回動自在に軸支した一対の斜材とから成り、前記水平材の両端部にはＨ型建枠の脚柱上端部に嵌着した連結ジョイントに挿入可能な透孔を穿設した取付片を取着する一方、前記斜材の遊端部には対向側の脚柱側面に突設した筋交いピンに挿入するピン孔を穿設したＨ型建枠の枠組足場用手摺を出願済みである（特許文献１）。そして、この手摺によれば、作業者は安全な下段の足場板上から上段の足場板周囲に手摺を先行させて設置、或いは取り外すことが可能となり、Ｈ型建枠の枠組足場の組み上げ、或いは解体作業時における作業者の安全を確実に確保することができる。
【特許文献１】特開２００５−４２４５２号公報
【発明の開示】
【発明が解決しようとする課題】
【０００５】
しかしながら、特許文献１の手摺では、前記のように、連結ジョイントに対しその上方から取付片の透孔を挿入して手摺を取り付けた後、更にその上位へ建枠を連結して足場を増設した場合、その建枠を残した状態で手摺だけを取り外すことが不可能な構造であるため、例えば、組み上げ後の枠組足場の側方に階段などを新たに設置しようとしても、その部分の手摺を取り外して通路用の空間を確保するといったことができないものであった。
【０００６】
本発明は上記の点に鑑み、下段の足場板上から上段の足場板周囲に安全に手摺を設置、或いは取り外しが可能な上、上段の足場を増設した後でも下段の足場の手摺だけを脱着することのできるＨ型建枠の枠組足場用手摺を提供することを課題とする。
【課題を解決するための手段】
【０００７】
上記の課題を解決するために、本発明のＨ型建枠の枠組足場用手摺にあっては、Ｈ型建枠を上方向並びに水平方向に所望数配置して組み上げる枠組足場において隣接するＨ型建枠の脚柱間に掛け渡す手摺であって、水平材と、該水平材の両端部付近にそれぞれ回動自在に軸支した一対の斜材とから成り、前記水平材の両端部にはＨ型建枠の脚柱上端部に嵌着した連結ジョイントに対し上方から挿入可能なように略リング形状の取付片を取着すると共に、該取付片は前記連結ジョイントに対し側方からも着脱可能なように開閉自在とする一方、前記斜材の遊端部には対向側の脚柱側面に突設した筋交いピンに挿入するピン孔を穿設したことを特徴としている。
【発明の効果】
【０００８】
本発明に係るＨ型建枠の枠組足場用手摺によれば、Ｈ型建枠を上方向並びに水平方向に所望数配置して組み上げる枠組足場において隣接するＨ型建枠の脚柱間に掛け渡す手摺であって、水平材と、該水平材の両端部付近にそれぞれ回動自在に軸支した一対の斜材とから成り、前記水平材の両端部にはＨ型建枠の脚柱上端部に嵌着した連結ジョイントに対し上方から挿入可能なように略リング形状の取付片を取着すると共に、該取付片は前記連結ジョイントに対し側方からも着脱可能なように開閉自在とする一方、前記斜材の遊端部には対向側の脚柱側面に突設した筋交いピンに挿入するピン孔を穿設したので、作業者は安全な下段の足場板上にいながら手摺を持ち上げて上段の足場板周囲に手摺を設置、或いは取り外すことが可能であり、作業者の安全を十分に確保できると共に、上段に足場を組んだ後でも下段の足場の手摺だけを自在に着脱でき、組み上げた枠組足場に対して階段などを新たに設置するような場合にも、その部分の手摺を取り外して作業通路を確保するといったことができる。
【発明を実施するための最良の形態】
【０００９】
本発明に係わるＨ型建枠の枠組足場用手摺によれば、手摺本体を、水平材と、該水平材の両端部付近にそれぞれ回動自在に軸支した一対の斜材とから構成している。前記水平材の両端部には、Ｈ型建枠の脚柱上端部に嵌着した連結ジョイントに対し、その上方から挿入可能なように略リング形状に形成した取付片を取着していると共に、該取付片は前記連結ジョイントに対し、その側方からも着脱操作可能なようにリング形状部分の開放・閉鎖を自在としている。一方、前記斜材の遊端部には、対向側の建枠の脚柱側面に突設した筋交いピンに挿入するピン孔を穿設している。
【００１０】
そして、Ｈ型建枠から成る枠組足場を上方向へ組み上げていく際などに、枠組足場の最上階部分の周囲に先行して手摺を設置する場合には、作業者は一段下の安全な足場板上にいながら、先ず手摺の一対の斜材を水平材に対してそれぞれ略直交方向に回動させた後、各斜材の遊端部をそれぞれ左右の手に持って持ち上げ、水平材を最上階に突出しているＨ型建枠の脚柱の上位へ位置させる。そして、水平材の両端部の略リング形状の取付片を脚柱上端部に嵌着した連結ジョイント上位に臨ませ、そのまま下方へ下ろして連結ジョイントに挿入させる。
【００１１】
ここで、前記連結ジョイントには上位の建枠を連結固定するロックピンがあり、該ロックピンをロック解除状態として鍵形状の係止部を下方向へ回動させて回避させておけば、連結ジョイントへ挿入させた水平材の取付片はロックピンの水平棒体部分の上面に引っ掛かって止まる。次に、水平材をその状態のまま維持させながら斜材を回動させ、その遊端部に穿設したピン孔を対向側の脚柱側面に突設した筋交いピンに挿入させて固定する。そして、上段の隣接するＨ型建枠の横架材間に足場板を架設し、作業者はこの最上階の足場板上へと上がると、最上階の足場板周囲には既に手摺が設置された状態となっていて作業安全上の問題はない。
【００１２】
また、枠組足場を解体する場合には、上記手順を逆に行うこととなり、作業者は、枠組足場の最上階部分の周囲に手摺が設置されている状態で、下段の足場板上に降り、最上段に架設していた足場板を取り外す。続いて、各斜材の遊端部のピン孔と筋交いピンとの係止を解除し、各斜材を水平材に対してそれぞれ直交方向へ回動させた後、各斜材の遊端部を左右の手で持って上方へ持ち上げ、水平材両端の取付片を連結ジョイントから抜き出して手摺の取り外しを完了する。
【００１３】
また、組み上げた枠組足場に対して、例えば階段などを新たに設置する場合には、先ず枠組足場の側面部の所望位置にクランプなどで階段上端部を固定する。そして、階段用の通路を確保するためにその部分に取り付けている手摺を取り外す際には、手摺の各斜材のピン孔と筋交いピンとの係止を解除すると共に、水平材両端部の取付片を開放状態とし、手摺を側方へと引き出すようにして枠組足場より取り外し、階段用の通路を確保する。
【００１４】
このように、作業者は安全な下段の足場板上から上段の足場板周囲に手摺を先行させて設置、或いは取り外すことができ、Ｈ型建枠の枠組足場の組み上げ、或いは解体作業時における作業者の安全を確保できる。また、枠組足場を組み終えた後からでも下段側の足場の手摺だけを自在に着脱できるため、枠組足場に対して階段などを新たに設置するような場合にも、その部分の手摺だけを取り外して作業通路を確保するといったことが可能である。
【実施例】
【００１５】
以下、本発明の実施例を図面に基づいて説明する。
【００１６】
図１乃至図７は、本発明に係る手摺１を、Ｈ型建枠Ｂと足場板Ｃとを組み上げて成る枠組足場Ａに取り付けた状態を説明する図である。Ｈ型建枠Ｂは、一対の脚柱Ｄを平行に備え、各脚柱Ｄの中央部付近を横架材Ｅで接合して略Ｈ形状に形成したものであり、脚柱Ｄの上端部にはＨ型建枠Ｂ同士を上下に連結するための連結ジョイントＦを嵌着している。そして、一対のＨ型建枠Ｂを対向して立設し、各Ｈ型建枠Ｂの横架材Ｅ同士へ足場板Ｃを架設させて枠組足場Ａを形成している。
【００１７】
そして、隣接するＨ型建枠Ｂの各脚柱Ｄ間には安全確保のための手摺１が掛け渡される。手摺１は、所定長さの鋼製の水平材２と、該水平材２の両端部付近にピンにて回動自在に軸支した一対の鋼製の斜材３とから成り、前記水平材２の両端部には上下方向に開口した略リング形状の取付片４を備え、そのリング部分の内径は前記連結ジョイントＦの中央部のカラー体Ｇの外径よりも若干大きく形成し、連結ジョイントＦに対しその上方から挿入可能としている。
【００１８】
前記連結ジョイントＦのカラー体Ｇには、上位のＨ型建枠Ｂの脚柱Ｄを連結保持するために、コイルバネを介装して出没自在とした水平棒体Ｈａと鍵形状に折曲した係止部Ｈｂを有する公知のロックピンＨを備えている。そして、水平材２の取付片４を連結ジョイントＦのカラー体Ｇへ挿入させる際には、図３の実線で示すように、ロックピンＨの係止部Ｈｂを下方向へ回動させてロック解除状態としておき、挿入した水平材２の取付片４が水平棒体Ｈａの上面に引っ掛かって係止されるようにしている。
【００１９】
また、略リング形状の前記取付片４は、共に略半リング形状をした主係止部４ａと、従係止部４ｂとから成り、水平材２に基端部を固着した主係止部４ａの先端部と、従係止部４ｂの一端部とを軸体５にて回動自在に軸支する一方、従係止部４ｂの他端部には水平材２に締結固定する固定ボルト６を備えている。そして、前記固定ボルト６の締緩操作によって取付片４のリング部分を開閉自在とし、例えば図７の二点鎖線にて示すように、手摺２上位に別のＨ型建枠Ｂを連結した状態からでも、そのＨ型建枠Ｂを取り外すことなく手摺１だけを側方へ取り外せるように図っている。
【００２０】
また、前記取付片４の主係止部４ａと従係止部４ｂの外縁部には、それぞれ窪み７ａ、７ｂを形成しており、図６及び図７に示すように、手摺２上位に別のＨ型建枠Ｂを連結して連結ジョイントＦのロックピンＨをロックさせた際に、ロックピンＨの側部が前記窪み７ａ、７ｂに収まるように図っている。
【００２１】
前記斜材３は、その遊端部にＨ型建枠Ｂの脚柱Ｄ側面に突設している筋交いピンＩに挿入可能なピン孔８を穿設しており、水平材２の両端の取付部４を連結ジョイントＦに挿入させた状態で、各斜材３をそれぞれ対向側の脚柱Ｄへ向けて回動させると各ピン孔８と筋交いピンＩ位置とが合致し、そのままピン孔８を筋交いピンＩに挿入して掛け止めできる構成としている。
【００２２】
上記構成とした手摺１を取り付ける手順を図８に基づいて説明する。先ず、枠組足場Ａの上位へ上段のＨ型建枠Ｂを立設させる（１）、（２）。次に、作業者は下段の足場板Ｃ´にいながら、手摺１の斜材３を水平材２に対して略直交方向へ回動し、各斜材３の遊端部をそれぞれ左右の手に持って持ち上げ、水平材２をＨ型建枠Ｂの脚柱Ｄの上位へ位置させ、水平材２の両端に備えた取付片４のリング部分を脚柱Ｄ上端部の連結ジョイントＦ上位に臨ませる（３）。このとき、取付片４は、主係止部４ａと従係止部４ｂとを閉鎖してリング部を形成させた状態で固定ボルト６にて締結固定している。次に、この水平材２をそのまま水平状態を保ちながら下方向へ下ろしていき、水平材２両端の取付片４を連結ジョイントＦに挿入させる（４）。このとき、連結ジョイントＦのロックピンＨは予めロック解除状態としており、挿入した取付片４はロックピンＨに引っ掛かって止まる。
【００２３】
続いて、この状態で各斜材３を回動させ、遊端部のピン孔８をそれぞれ対向側の脚柱Ｄ側面の筋交いピンＩに挿入して固定する（５）、（６）。そして、上段の隣接するＨ型建枠Ｂの横架材Ｅ間に足場板Ｃを架設した後（７）、作業者は最上階へ上がる。このとき、最上階の足場板Ｃ周囲には手摺１が先行して設置できていて作業者はあまり恐怖感を憶えるようなことはない。なお、引き続いてこの上段に足場を組み上げていく場合には、上記と同様の作業を繰り返していくことになる。
【００２４】
このとき、上段のＨ型建枠Ｂの取付けは、図５乃至図７に示すように、カラー体Ｇに挿入した水平材２の取付片４はそのままの状態にしておき、連結ジョイントＦへ新たなＨ型建枠Ｂの脚柱Ｄを嵌入させた後、係止部Ｈｂを係止位置に戻してロック状態とし、上段のＨ型建枠Ｂの脚柱Ｄと共に水平材２の取付片４も挟持する。また、枠組足場Ａを解体していく場合には、上記と逆の手順で作業を行えばよく、安全に作業を行うことができる。
【００２５】
このように、作業者は安全な下段の足場板上から上段の足場板周囲に先行して手摺１を設置、或いは取り外すことができ、作業者の安全を確保でき、また、手摺１の水平材２両端の取付片４をＨ型建枠Ｂの脚柱Ｄ上端の連結ジョイントＦへ挿入すると共に、手摺１の斜材３の遊端部をＨ型建枠Ｂの筋交いピンＩに取り付けるので、抜けることもなくて強固に固定できて安全である。
【００２６】
また、前記手順に従って組み上げた枠組足場Ａに対し、例えば仮設の階段などを新たに設置する場合には、先ず枠組足場Ａの側面部の所望位置にクランプなどで階段上端部を固定する。そして、この階段用の通路を確保するため、階段を設置した部分に取り付けている手摺１を取り外す際には、手摺１の各斜材３のピン孔８と筋交いピンＩとの係止を解除すると共に、水平材２両端部の取付片４の固定ボルト６を緩めて従係止部４ｂを回動させ、連結ジョイントＦに挿入して固定していたリング部分を開放状態とする。そして、手摺１を側方へと引き出すようにして手摺１を枠組足場Ａより取り外し、階段用の通路を確保する。
【００２７】
このように、枠組足場Ａを組み終えた後からでも下段側の足場の手摺１だけを自在に取り外すことができるため、枠組足場Ａに対して階段や連絡路などを新たに設置するような場合にも、その上段側のＨ型建枠Ｂなどを取り外さずに手摺１だけを取り外して作業通路を確保するといったことができる。なお、上記作業手順と逆の手順を行うことで、一旦取り外した手摺１を連結ジョイントＦに再度固定して設置することもできる。
【図面の簡単な説明】
【００２８】
【図１】本発明に係る枠組足場用手摺をＨ型建枠の枠組足場に取り付けた状態を示す正面図である。
【図２】図１の要部拡大図である。
【図３】図２の一部を省略したＸ−Ｘ矢視図である。
【図４】図２の一部を省略した平面図である。
【図５】図１の別の要部拡大図である。
【図６】図５の一部を省略したＹ−Ｙ矢視図である。
【図７】図５の一部を省略した平面図である。
【図８】本発明に係る枠組足場用手摺をＨ型建枠の枠組足場に取り付ける作業手順を示す説明図である。
【符号の説明】
【００２９】
１…手摺                      ２…水平材
３…斜材                      ４…取付片
６…固定ボルト                ８…ピン孔
Ａ…枠組足場                  Ｂ…Ｈ型建枠
Ｃ…足場板                    Ｄ…脚柱
Ｅ…横架材                    Ｆ…連結ジョイント
Ｇ…カラー体                  Ｈ…ロックピン
Ｉ…筋交いピン
【図１】
2006348625.tif 000003
【図２】
2006348625.tif 000004
【図３】
2006348625.tif 000005
【図４】
2006348625.tif 000006
【図５】
2006348625.tif 000007
【図６】
2006348625.tif 000008
【図７】
2006348625.tif 000009
【図８】
2006348625.tif 000010